【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
画像供給装置と通信し、画像供給装置から画像データを受信する通信手段と、
前記通信手段により受信した画像データに基づいて印刷処理を行う印刷制御手段と、
前記画像データに対する印刷設定を行うための印刷設定画面を、前記通信手段により画像データを受信したことに応じて表示手段に表示させる表示制御手段とを有することを特徴とする印刷装置。
【請求項２】
前記印刷装置は複数の通信方式で画像データの受信が可能であり、
前記画像供給装置との通信における通信方式が、所定の通信方式であるかを判定する判定手段をさらに有し、
前記判定手段で所定の通信方式であると判定されたときには、前記表示手段に印刷設定画面を表示させることを特徴とする請求項１に記載の印刷装置。
【請求項３】
前記印刷制御手段は、前記判定手段により所定の通信方式でないと判定された場合には、前記通信手段により画像データを受信したことに応じて当該画像データの印刷処理を開始し、前記判定手段により所定の通信方式であると判定された場合には、前記通信手段により画像データを受信したことに応じて印刷処理を開始せずに、前記印刷設定画面で印刷設定が行われた後に前記画像データの印刷処理を開始することを特徴とする請求項２に記載の印刷装置。
【請求項４】
前記所定の通信方式は、印刷設定の送信が定義されていない通信方式であることを特徴とする請求項２または３に記載の印刷装置。
【請求項５】
前記複数の通信方式は、ＩｒＤＡ、Ｂｌｕｅｔｏｏｔｈ、ＵＳＢのうち少なくともいずれか１つを含むこと特徴とする請求項２ないし４のいずれか１項に記載の印刷装置。
【請求項６】
前記判定手段によりＩｒＤＡによる通信であると判定された場合には、前記表示制御手段は、前記表示手段に印刷設定画面を表示させることを特徴とする請求項２ないし５のいずれか１項に記載の印刷装置。
【請求項７】
前記判定手段によりＩｒＤＡのＯｂｊｅｃｔ  Ｅｘｃｈａｎｇｅ  Ｐｒｏｔｏｃｏｌによる通信であると判定された場合には、前記表示制御手段は、前記表示手段に印刷設定画面を表示させることを特徴とする請求項２ないし５のいずれか１項に記載の印刷装置。
【請求項８】
前記所定の通信方式は、ＢｌｕｅｔｏｏｔｈのＧｅｎｅｒｉｃ  Ｏｂｊｅｃｔ  Ｅｘｃｈａｎｇｅ  Ｐｒｏｆｉｌｅ、Ｂａｓｉｃ  Ｉｍａｇｉｎｇ  ＰｒｏｆｉｌｅのＩｍａｇｅ  Ｐｕｓｈ、または、Ｂａｓｉｃ  Ｐｒｉｎｔｉｎｇ  ＰｒｏｆｉｌｅのＳｉｍｐｌｅ  Ｐｕｓｈのうちいずれか１つを含むことを特徴とする請求項２ないし５のいずれか１項に記載の印刷装置。
【請求項９】
さらに操作手段を備え、前記操作手段により印刷開始の指示がなされた場合に、前記印刷制御手段は前記通信手段により受信した画像データの印刷を開始することを特徴とする請求項１ないし８のいずれか１項に記載の印刷装置。
【請求項１０】
前記印刷制御手段は、前記印刷設定画面で設定された印刷設定に従い、前記画像データの印刷処理を行うことを特徴とする請求項１ないし９のいずれかに記載の印刷装置。
【請求項１１】
複数の通信方式で通信可能な印刷装置であって、
画像供給装置と通信し、前記画像供給装置から画像データを受信する通信手段と、
前記通信手段により受信した画像データに基づく印刷処理を実行する印刷制御手段と、
画像供給装置との通信方式を判定する判定手段と、
前記判定手段による判定結果に応じて、前記通信手段により受信した画像データの印刷を開始するか、前記通信手段により受信した画像データの印刷を開始せずに、該画像データに対する印刷設定の入力を受付けるかを切換える制御手段とを有することを特徴とする印刷装置。
【請求項１２】
前記通信手段は、印刷設定情報を受信可能であり、
前記判定手段で所定の通信方式であると判定された場合には、前記通信手段により受信した印刷設定情報に基づく画像データの印刷を開始せずに、該画像データに対する印刷設定の入力を受付け、受付け中に入力された印刷設定に基づいて前記画像データを印刷することを特徴とする請求項１１に記載の印刷装置。
【請求項１３】
前記制御手段により画像データに対する印刷設定の入力を受付けるように切換えられた場合に、印刷設定を入力するための印刷設定手段を有することを特徴とする請求項１１に記載の印刷装置。
【請求項１４】
前記制御手段により画像データに対する印刷設定の入力を受付けるように切換えられた場合に、印刷設定を入力するための印刷設定画面を表示する表示手段を有することを特徴とする請求項１１に記載の印刷装置。
【請求項１５】
前記印刷制御手段は、前記印刷設定手段による印刷設定の入力が終了したことに応じて、前記画像データの印刷を開始することを特徴とする請求項１３に記載の印刷装置。
【請求項１６】
前記印刷制御手段は、前記印刷設定画面における印刷設定が終了したことに応じて、前記画像データの印刷を開始することを特徴とする請求項１４に記載の印刷装置。
【請求項１７】
画像供給装置と通信可能な印刷装置の制御方法であって、
画像供給装置から画像データを受信する受信工程と、
前記受信工程で受信した画像データに基づいて印刷処理を行う印刷工程と、
前記受信工程で受信した画像データに対する印刷設定を行うための印刷設定画面を、前記画像データを受信したことに応じて表示手段に表示させる表示工程とを有することを特徴とする印刷装置の制御方法。
【請求項１８】
前記印刷装置は、複数の通信方式で画像データの受信が可能であり、
前記画像供給装置との通信における通信方式が、所定の通信方式であるかを判定する判定工程をさらに有し、
前記判定工程で所定の通信方式であると判定された場合に、前記表示工程が前記表示手段に印刷設定画面を表示させることを特徴とする請求項１７に印刷装置の制御方法。
【請求項１９】
前記判定工程で所定の通信方式でないと判定された場合には、前記印刷工程は、画像データを受信したことに応じて当該画像データの印刷処理を開始し、前記判定工程で所定の通信方式であると判定された場合には、前記印刷工程は、画像データを受信したことに応じて印刷処理を開始せずに、前記印刷設定画面で印刷設定が行われた後に前記画像データの印刷処理を開始することを特徴とする請求項１８に記載の印刷装置の制御方法。
【請求項２０】
前記所定の通信方式は、印刷設定の送信が定義されていない通信方式であることを特徴とする請求項１８または１９に記載の印刷装置の制御方法。
【請求項２１】
複数の通信方式で通信可能な印刷装置の制御方法であって、
画像供給装置と通信し、前記画像供給装置から画像データを受信する受信工程と、
前記受信工程で受信した画像データに基づく印刷処理を行う印刷制御工程と、
画像供給装置との通信方式を判定する判定工程と、
前記判定工程での判定結果に応じて、前記画像データの印刷処理を開始するか、前記画像データの印刷を開始せずに、該画像データに対する印刷設定の入力を受付けるかを切換えることを特徴とする印刷装置の制御方法。
【請求項２２】
請求項１８または２１に記載の制御方法をコンピュータに実行させるためのプログラム。
【請求項２３】
請求項１８または２１に記載の制御方法をコンピュータに実行させるためのプログラムを記憶したコンピュータで読み取り可能な記憶媒体。
【手続補正２】
【補正対象書類名】明細書
【補正対象項目名】００１６
【補正方法】変更
【補正の内容】
【００１６】
上述の課題を解決するため、本発明の印刷装置は以下の構成を備える。
画像供給装置と通信し、画像供給装置から画像データを受信する通信手段と、通信手段により受信した画像データに基づいて印刷処理を行う印刷制御手段と、画像データに対する印刷設定を行うための印刷設定画面を、通信手段により画像データを受信したことに応じて表示手段に表示させる表示制御手段とを有する。
【手続補正３】
【補正対象書類名】明細書
【補正対象項目名】００１７
【補正方法】変更
【補正の内容】
【００１７】
また、上述の課題を解決するため、本発明の印刷装置は以下の構成を備える。
複数の通信方式で通信可能な印刷装置であって、画像供給装置と通信し、画像供給装置から画像データを受信する通信手段と、通信手段により受信した画像データに基づく印刷処理を実行する印刷制御手段と、画像供給装置との通信方式を判定する判定手段と、判定手段による判定結果に応じて、通信手段により受信した画像データの印刷を開始するか、通信手段により受信した画像データの印刷を開始せずに、該画像データに対する印刷設定の入力を受付けるかを切換える制御手段とを有する。